(57)【要約】【課題】ペーパレストの片側面と他側面との両方を傾斜度合の異なる紙受け面として使用することができるようにして、それらの各面を、普通紙と特殊紙とに応じて使い分けられるようにする。【解決手段】ベース体４に傾斜姿勢でペーパレスト５を取り付ける。ペーパレスト５に載架した用紙に送り力を付与するピックアップ手段６を有する。ペーパレスト５は片側面５１と他側面５２との両方の面が紙受け面としての機能を有する。ペーパレスト５の取付状態を、片側面５１が前向きとなる第１取付状態と他側面５２が前向きとなる第２取付状態とに択一的に選択可能である。第１取付状態での片側面５１の傾斜度合と第２取付状態での他側面５２の傾斜度合とが異なる。【選択図】        図１
2004338917.tif 000002
【特許請求の範囲】
【請求項１】
ベース体に傾斜姿勢で取り付けられたペーパレストを有し、そのペーパレストの前向きの紙受け面に載架された用紙の下端が上記ベース体の紙受け部によって支えられるようになっていると共に、上記用紙に送り力を付与するピックアップ手段の動作によって、その用紙が上記ペーパレスト上の載架位置から上記ベース体の紙受け部の上を滑って前方へ送り出されるようになっているペーパレストを有する給紙装置において、
上記ペーパレストは片側面と他側面との両方の面が上記紙受け面としての機能を有していると共に、上記ベース体に対する当該ペーパレストの取付状態が、片側面が前向きとなる第１取付状態と他側面が前向きとなる第２取付状態とに択一的に選択可能であって、第１取付状態での上記片側面の傾斜度合と第２取付状態での上記他側面の傾斜度合とが異なるように構成されており、
上記ベース体が、上記紙受け部を起点として立ち上げられた傾斜板部を有し、その傾斜板部の上端部に上記ペーパレストが着脱可能に取り付けられ、
上記傾斜板部に対する上記ペーパレストの取付箇所が、傾斜板部の幅方向両側に位置し、
傾斜板部の幅方向両側に位置するそれぞれの取付箇所では、傾斜板部側に具備されて上部が開放しかつ溝幅方向が前後方向に沿う方向に定められている溝部に、ペーパレスト側に設けられた突起が上記溝部の上部開放口を経て抜出し可能に嵌合されていると共に、傾斜姿勢の上記ペーパレストの重さによって、上記突起が上記溝部の溝壁に凹入状に具備されている係止面に係合して上方への抜出しが阻止されていることを特徴とする給紙装置。
【請求項２】
ベース体に傾斜姿勢で取り付けられたペーパレストを有し、そのペーパレストの前向きの紙受け面に載架された用紙の下端が上記ベース体の紙受け部によって支えられるようになっていると共に、上記用紙に送り力を付与するピックアップ手段の動作によって、その用紙が上記ペーパレスト上の載架位置から上記ベース体の紙受け部の上を滑って前方へ送り出されるようになっているペーパレストを有する給紙装置において、
上記ペーパレストは片側面と他側面との両方の面が上記紙受け面としての機能を有していると共に、上記ベース体に対する当該ペーパレストの取付状態が、片側面が前向きとなる第１取付状態と他側面が前向きとなる第２取付状態とに択一的に選択可能であって、第１取付状態での上記片側面の傾斜度合と第２取付状態での上記他側面の傾斜度合とが異なるように構成したことを特徴とするペーパレストを有する給紙装置。
【請求項３】
上記ベース体が、上記紙受け部を起点として立ち上げられた傾斜板部を有し、その傾斜板部の上端部に、上記ペーパレストが取り付けられている請求項２に記載したペーパレストを有する給紙装置。
【請求項４】
上記ペーパレストが上記傾斜板部の上端部に対して着脱可能である請求項３に記載したペーパレストを有する給紙装置。
【請求項５】
上記傾斜板部に対する上記ペーパレストの取付箇所において、傾斜板部側に具備されて上部が開放しかつ溝幅方向が前後方向に沿う方向に定められている溝部に、ペーパレスト側に設けられた突起が上記溝部の上部開放口を経て抜出し可能に嵌合されていると共に、傾斜姿勢の上記ペーパレストの重さによって、上記突起が上記溝部の溝壁に凹入状に具備されている係止面に係合して上方への抜出しが阻止されている請求項４に記載したペーパレストを有する給紙装置。
【請求項６】
上記傾斜板部に対する上記ペーパレストの取付箇所において、傾斜板部側又はペーパレストレスト側のいずれか一方側に具備された軸部が他方側に具備された孔部に半回転操作可能に嵌合され、かつ、上記傾斜板部の上端面と上記ペーパレストレストの下端面とに振り分けて、互いに嵌合して上記半回転操作を不能にする嵌脱可能な凹部と凸部とが各別に備わっている請求項４に記載したペーパレストを有する給紙装置。
【発明の詳細な説明】
【０００１】
【発明の属する技術分野】
本発明は、ペーパレストを有する給紙装置、特に、プリンタやファクシミリ、複写機といった画像の印刷や画像の読取りなどを行う機器と組み合わせて用いられるペーパレストを有する給紙装置に関する。
【０００２】
【従来の技術】
プリンタやファクシミリ、複写機などの機器では、画像を用紙に印刷したり用紙の画像を読み取ったりする領域に送り込まれる用紙を、あらかじめペーパレスト上に積み重ねてストックしておき、必要に応じてペーパレストから用紙を１枚ずつ送り出すということが行われており、そのための装置として給紙装置がある。そのうち、ペーパレストが傾斜姿勢で立ち上げられている給紙装置はたとえばプリンタに用いられている。
【０００３】
従来、プリンタと組み合わせて用いられる給紙装置のうち、ペーパレストが傾斜姿勢で立ち上げられているものでは、そのペーパレスト上に積み重ねて載架された用紙の下端が、そのペーパレストが取り付けられているベース体の紙受け部によって支えられる。そして、用紙に送り力を付与するためのピックアップローラといったピックアップ手段の動作によって、その用紙が上記ペーパレスト上の載架位置からベース体の紙受け部の上を滑って前方の印字領域へ送り出され、印字領域で用紙に印字が行われるようになっている。
【０００４】
このような従来の給紙装置において、ペーパレストは、プリンタなどの機器側に備わっているベース体の幅方向両側に設けられたそれぞれの軸孔に、ペーパレストの幅方向両側に設けられたそれぞれの横軸を各別に嵌合させることによってベース体に取り付けられていて、使用時にはペーパレストを、特定の傾斜度合（勾配）を持つ傾斜姿勢に立ち上げ、不使用時にはペーパレストを前倒し姿勢にして格納することができるようになっていた。そのため、ペーパレストにおいては、その片側面、すなわち傾斜姿勢に立ち上げた状態での前向き面だけを用紙受け面として使用していた。
【０００５】
一方、先行例には、プリンタにおいて、単票用紙の使用時と連続用紙の使用時とで、用紙を送り込むための手差しガイドの傾斜度合を可変にすることが開示されている（例えば、特許文献１参照）。
他の先行例には、印字装置において、紙案内テーブルを印字装置本体に着脱できるようにすることが開示されている（例えば、特許文献２参照）。
さらに他の先行例には、画像形成装置において、画像形成装置本体に自動給紙ユニットを装着した場合に、画像形成装置本体から取り外した手差しガイドを自動給紙ユニットに取り付けることにより、手差しガイドの裏面を活用してその手差しガイドを補助トレイとして使用することが開示されている（例えば、特許文献３参照）。
【０００６】
【特許文献１】
特開平４−３４５８７６号公報
【特許文献２】
実開平４−２４３６３号公報
【特許文献３】
特開平７−２７７５５７号公報
【０００７】
【発明が解決しようとする課題】
しかしながら、従来の給紙装置のように、使用時の傾斜姿勢が特定の傾斜度合を持つように定められていると、厚手の用紙と薄手の用紙、腰の強い用紙と腰の弱い用紙といったような柔軟性や曲がりやすさの異なる用紙を使い分けるときに、その傾斜度合に適否が生じる。すなわち、同じ勾配を持つ傾斜姿勢のペーパレストに、薄手の用紙や腰の弱い用紙を載架させてピックアップローラによる送り力を付与した場合と、厚手の用紙や腰の強い用紙を載架させてピックアップローラによる送り力を付与した場合とでは、薄手の用紙や腰の弱い用紙ではその送出しが１枚ずつ円滑に送り出されたとしても、厚手の用紙や腰の強い用紙では必ずしも円滑な送出しが行われるとは限らない。その逆に、厚手の用紙や腰の強い用紙ではその送出しが１枚ずつ円滑に送り出されたとしても、薄手の用紙や腰の弱い用紙では必ずしも円滑な送出しが行われるとは限らない。そして、一般的には、薄手の用紙や腰の弱い用紙（以下「普通紙」という）は、厚手の用紙や腰の強い用紙（以下「特殊紙」という）よりも傾斜度合の大きな傾斜姿勢のペーパレスト上に載架しておくと、円滑な給紙を行うことができるとされている。
【０００８】
そして、傾斜姿勢のペーパレストでは、特定の傾斜度合を持つだけであったため、特殊紙と普通紙とを使い分けた場合に、それらの両方が必ずしも円滑に給紙されるとは限らず、場合によっては、用紙の引掛かりや紙詰まりなどに起因する用紙ジャムを発生することがあるという問題があった。
【０００９】
この点を改善するには、先行例として掲げた特許文献１の技術を適用してペーパレストの配備角度を可変にすることが考えられるけれども、この技術を利用すると、ペーパレストを配備角度を２段階あるいは他段階に定めるための構造が複雑になることを避けられず、簡易な構造で用紙の特性に関係なく円滑な給紙を行うことのできる給紙装置を提供することが困難である。
【００１０】
本願発明者は、上記の問題点や状況に鑑み、ペーパレストをベース体に対して容易に着脱できる構成とした上で、そのペーパレストの片側面と他側面との両方を紙受け面として活用すれば、ペーパレストのした度合を２段階に可変とすることが可能になり、併せて、簡易な構造で普通紙か特殊紙かという用紙の性質に関係なく円滑な給紙を行うことのできる給紙装置を提供することが可能になるという事実を見い出し、本発明を完成させるに至った。
【００１１】
したがって、本発明は、ペーパレストの片側面と他側面との両方を紙受け面とし、それらの各面を、普通紙と特殊紙とに応じて使い分けるようにすることのできる給紙装置を提供することを目的とする。
【００１２】
また、本発明は、普通紙か特殊紙かによってペーパレストの片側面と他側面とを紙受け面として使い分けることにより、用紙の引掛かりや紙詰まりなどに起因する用紙ジャムの発生を防止することのできる給紙装置を提供することを目的とする。
【００１３】
さらに、本発明は、そのような給紙装置を簡易な構造で製作して安価に提供することを目的とする。
【００１４】
【課題を解決するための手段】
本発明に係る給紙装置は、ベース体に傾斜姿勢で取り付けられたペーパレストを有し、そのペーパレストの前向きの紙受け面に載架された用紙の下端が上記ベース体の紙受け部によって支えられるようになっていると共に、上記用紙に送り力を付与するピックアップ手段の動作によって、その用紙が上記ペーパレスト上の載架位置から上記ベース体の紙受け部の上を滑って前方へ送り出されるようになっている。
【００１５】
そして、上記ペーパレストは片側面と他側面との両方の面が上記紙受け面としての機能を有していると共に、上記ベース体に対する当該ペーパレストの取付状態が、片側面が前向きとなる第１取付状態と他側面が前向きとなる第２取付状態とに択一的に選択可能であって、第１取付状態での上記片側面の傾斜度合と第２取付状態での上記他側面の傾斜度合とが異なるように構成したものである。
【００１６】
この構成であれば、ベース体に対するペーパレストの取付状態として、第１取付状態か第２取付状態かを選択することにより、傾斜度合の大きい取付状態と傾斜度合の小さい取付状態とを、普通紙か特殊紙かで使い分けることが可能になるので、普通紙であっても特殊紙であっても、円滑な給紙を続けることが可能になり、用紙ジャムを生じにくくなる。
【００１７】
本発明では、上記ベース体が、上記紙受け部を起点として立ち上げられた傾斜板部を有し、その傾斜板部の上端部に、上記ペーパレストが取り付けられている、という構成を採用することが可能であり、これによれば、用紙の下部が傾斜板部に載架され、用紙の上部がペーパレストに載架されるようになる。そのため、ペーパレストをコンパクトで手で取り扱いやすい形にすることが可能になり、第１取付状態か第２取付状態かを選択するときの取扱性が向上する。
【００１８】
本発明では、上記ペーパレストが上記傾斜板部の上端部に対して着脱可能である、という構成を採用することが可能である。
【００１９】
そして、この場合には、上記傾斜板部に対する上記ペーパレストの取付箇所において、傾斜板部側に具備されて上部が開放しかつ溝幅方向が前後方向に沿う方向に定められている溝部に、ペーパレスト側に設けられた突起が上記溝部の上部開放口を経て抜出し可能に嵌合されていると共に、傾斜姿勢の上記ペーパレストの重さによって、上記突起が上記溝部の溝壁に凹入状に具備されている係止面に係合して上方への抜出しが阻止されている、という構成を採用することができる。これによれば、ペーパレストを容易に傾斜板部に着脱することができ、装着後には、突起が溝部の係止面に係合して上方への抜出しが阻止されるために、ペーパレストの取付状態が安定して円滑な給紙を行うことに役立つ。また、上記傾斜板部に対する上記ペーパレストの取付箇所において、傾斜板部側又はペーパレストレスト側のいずれか一方側に具備された軸部が他方側に具備された孔部に半回転操作可能に嵌合され、かつ、上記傾斜板部の上端面と上記ペーパレストレストの下端面とに振り分けて、互いに嵌合して上記半回転操作を不能にする嵌脱可能な凹部と凸部とが各別に備わっているという構成を採用することもできる。これによれば、ペーパレストを半回転操作するだけで、その片側面と他側面とを紙受け面に使い分けることが可能になるので、片側面と他側面との使い分けのための取付状態の選択を容易かつ迅速に行うことが可能になる。
【００２０】
本発明に係る給紙装置は、次のように構成することも可能である。すなわち、ベース体に傾斜姿勢で取り付けられたペーパレストを有し、そのペーパレストの前向きの紙受け面に載架された用紙の下端が上記ベース体の紙受け部によって支えられるようになっていると共に、上記用紙に送り力を付与するピックアップ手段の動作によって、その用紙が上記ペーパレスト上の載架位置から上記ベース体の紙受け部の上を滑って前方へ送り出されるようになっているペーパレストを有する給紙装置において、上記ペーパレストは片側面と他側面との両方の面が上記紙受け面としての機能を有していると共に、上記ベース体に対する当該ペーパレストの取付状態が、片側面が前向きとなる第１取付状態と他側面が前向きとなる第２取付状態とに択一的に選択可能であって、第１取付状態での上記片側面の傾斜度合と第２取付状態での上記他側面の傾斜度合とが異なるように構成されており、上記ベース体が、上記紙受け部を起点として立ち上げられた傾斜板部を有し、その傾斜板部の上端部に上記ペーパレストが着脱可能に取り付けられ、上記傾斜板部に対する上記ペーパレストの取付箇所が、傾斜板部の幅方向両側に位置し、傾斜板部の幅方向両側に位置するそれぞれの取付箇所では、傾斜板部側に具備されて上部が開放しかつ溝幅方向が前後方向に沿う方向に定められている溝部に、ペーパレスト側に設けられた突起が上記溝部の上部開放口を経て抜出し可能に嵌合されていると共に、傾斜姿勢の上記ペーパレストの重さによって、上記突起が上記溝部の溝壁に凹入状に具備されている係止面に係合して上方への抜出しが阻止されている、という構成にすることも可能である。
【００２１】
この発明によれば、ペーパレストがその幅方向の両側で傾斜板部に取り付けられるために安定した取付状態が得られる。
【００２２】
以上説明した本発明に係る給紙装置の作用については、次の実施形態を参照してさらに詳細に説明する。
【００２３】
【発明の実施の形態】
図１はプリンタに組み付けられた本発明の実施形態に係る給紙装置の概略斜視図、図２（Ａ）（Ｂ）はペーパレストの取付状態の説明図、図３（Ａ）は溝部７の形状を示した側面図、同（Ｂ）は突起８の形状を示した側面図、図４（Ａ）は第１取付状態での取付箇所の説明図、同（Ｂ）は第２取付状態での取付箇所の説明図である。
【００２４】
図１において、１はプリンタの筐体であり、この筐体１には、用紙剥離具２１を備えた水平な紙受け部２と、その紙受け部２を起点として後上がりに立ち上げられた傾斜板部３とを備えるベース体４が備わっていて、傾斜板部３の上端部にペーパレスト５が後上がりの傾斜姿勢で取り付けられている。そして、ペーパレスト５の前向きの紙受け面（後述する）に載架された用紙Ｐの下端が上記紙受け部２の用紙剥離具２１などによって支えられるようになっていて、ピックアップ手段の一例であるピックアップローラ６の動作によって用紙Ｐに送り力が付与されると、正常な状態では、用紙Ｐが用紙剥離具２１の作用によって１枚ずつペーパレスト５上の載架位置からベース体４の紙受け部２の上を滑って矢印Ｆのように前方へ送り出される。
【００２５】
図２（Ａ）（Ｂ）に示したように、上記ペーパレスト５は、片側面５１と他側面５２との両方の面が紙受け面としての機能を有している。すなわち、片側面５１や他側面５２は、その上に積み重ねた用紙が引っ掛かったりすることのない形状に形成されている。なお、これらの片側面５１や他側面５２は、必ずしも平坦面である必要はなく、たとえば、縦方向に延びる複数のリブが横に並んで配置されてその上に用紙を積み重ねることができるようになっているようなものでもよい。
【００２６】
ベース体４の傾斜板部３に対する当該ペーパレスト５の取付状態は、図２（Ａ）に示したように片側面５１が前向きとなる第１取付状態と、図２（Ｂ）に示したように他側面５２が前向きとなる第２取付状態とに択一的に選択することができるようになっている。そして、第１取付状態での片側面５１の水平線Ｈに対する開き角度θ１と第２取付状態での他側面５２の水平線Ｈに対する開き角度θ２とが異なるように構成されている。この構成であると、図２（Ａ）の第１取付状態では、ペーパレスト５の片側面５１が前向きになって紙受け面５１ａとしての機能を発揮し、図２（Ｂ）の第２取付状態では、ペーパレスト５の他側面５２が前向きになって紙受け面５２ａとしての機能を発揮し、しかも、第１取付状態での片側面５１の傾斜度合と第２取付状態での他側面５２の傾斜度合とが異なっているので、普通紙か特殊紙かによって第１取付状態での片側面５１と第２取付状態での他側面５２とを使い分けることが可能になる。そして、θ１及びθ２をいずれも９０度よりも少し大きい角度に定めてθ１＜θ２の関係を成立させると、傾斜度合の大きな図２（Ａ）の第１取付状態が普通紙を給紙するのに適し、傾斜度合の小さな図２（Ｂ）の第２取付状態が特殊紙を給紙するのに適することが判っている。そして、図２（Ａ）の第１取付状態を選択すると、用紙ジャムを生じずに普通紙を円滑に給紙できたけれども、特殊紙では図１で説明した紙受け部２で稀に用紙が引掛かって円滑な給紙ができなくなることがあった。また、図２（Ｂ）の第２取付状態を選択すると、紙受け部２での紙の引掛かりを生じずに特殊紙を円滑に給紙できたけれども、普通紙では紙受け部２で稀に用紙ジャムを生じて円滑な給紙ができなくなることがあった。
【００２７】
この実施形態において、傾斜板部３に対するペーパレスト５の取付箇所は傾斜板部３の幅方向両側に位置している。すなわち、傾斜板部３の幅方向両側に位置するそれぞれの取付箇所では、図３（Ａ）のように、傾斜板部３に備わっている側板部３１に、上部が開放して溝幅方向Ｙが前後方向に沿う方向に定められている溝部７が形成されている。この溝部７は、前側の溝壁に凹入状の係止面７１を有している。これに対し、図３（Ａ）のように、ペーパレスト５の下端側部両側のそれぞれの対称箇所に突起８が備わっている。そして、傾斜板部３の上端面の傾斜角の大きさやペーパレスト５の下端面の傾斜角の大きさ適切に定めることによって、両者を面接触状態に重ね合わせたときには、ペーパレスト５の片側面５１を前向きにした場合とその他側面５２を前向きにした場合とで、それらの傾斜度合が異なるように構成してある。この実施形態では、ペーパレスト５の下端面をその片側面５１や他側面５２に対して非直角に形成して下端面と片側面５１とのコーナ角ａを下端面と他側面５２とのコーナ角ｂよりも少し大きい値としてある。ここで、ペーパレスト５の下端面を重なり面５３といい、傾斜板部３の上端面を受け面３２ということにすると、重なり面５３や受け面３２は必ずしも平坦である必要はなく、受け面３２の上に重なり面５３を重ね合わせたときに、ペーパレスト５の片側面５１を前向きにした場合とその他側面５２を前向きにした場合とで、それらの傾斜度合を異ならせ得るような形状の面であればよい。
【００２８】
取付箇所が上記の構成になっていると、図４（Ａ）のように、ペーパレスト５の片側面５１を前向きにしてその突起８を溝部７の上部開放口７２を経て嵌合することにより、ペーパレスト５側の重なり面５３を傾斜板部３側の受け面３２の上に重ね合わせると、傾斜姿勢のペーパレスト５の重さによって突起８が溝部７の係止面７１に係合して上方への抜出しが阻止され、これにより、ペーパレスト５が第１取付状態で傾斜板部３の上端部に取り付けられ、片側面５１が紙受け面として役立つようになる。これに対し、ペーパレスト５を手で持って引き上げることにより突起８を溝部７１から抜出した後にペーパレスト５を前後反転させ、次に、図４（Ｂ）のように、ペーパレスト５の他側面５２を前向きにしてその突起８を溝部７の上部開放口７２を経て嵌合することにより、ペーパレスト５側の重なり面５３を傾斜板部３側の受け面３２の上に重ね合わせると、傾斜姿勢のペーパレスト５の重さによって突起８が溝部７の係止面７１に係合して上方への抜出しが阻止され、これにより、ペーパレスト５が第２取付状態で傾斜板部３の上端部に取り付けられ、他側面５１が紙受け面として役立つようになる。
【００２９】
図５は傾斜板部の上端部に取り付けられるペーパレスト５の他の構造を示した下面図、図６（Ａ）は図５のペーパレストの取付箇所の要部を一部破断して示した正面図、同（Ｂ）は第１取付状態を選択した場合の図６（Ａ）のＶＩＢ−ＶＩＢ線断面図、同（Ｃ）は第２取付状態を選択した場合の図６（Ａ）のＶＩＣ−ＶＩＣ線断面図である。
【００３０】
この事例では、図５のようにペーパレスト５側の下端面によって形成されている重なり面５３の幅方向中央部に軸部５４が突設されている。これに対し、図６のように、傾斜板部３の上端面によって形成されている受け面３２の幅方向中央部に、上記軸体５４を摺動回転可能に嵌合し得る孔部３３が形成されている。また、上記受け面３２（凹部の一例）及び上記重なり面５３（凸部の一例）の形状は、互いに嵌合することによって位置決めし合う凹面形状と凸面形状とに形成されている。この構成であると、傾斜板部３に対するペーパレスト５の取付箇所において、軸部５４を孔部３３に嵌合して受け面３２と重なり面５３とを嵌合させると、傾斜板部３の上端部にペーパレスト５が取り付けられる。そして、ペーパレスト５を少し持ち上げて軸部５４を中心に半回転させた後、そのペーパレスト５の重なり面５３を傾斜板部３の受け面３２に嵌合させると、ペーパレストレスト５が前後反転した状態で回転不能に傾斜板部３に取り付けられる。したがって、そのような半回転操作を行うことによって、図６（Ａ）のようにペーパレスト５の片側面５１が前向きになる第１取付状態と、図６（Ｂ）のようにペーパレスト５の他側面５２が前向きになる第２取付状態とを選択することが可能である。なお、この事例では、ペーパレスト５の片側面５１と他側面５２とを非平行面に形成することによって、第１取付状態での片側面５１の傾斜度合と第２取付状態での他側面５２の傾斜度合とが異なるように構成してある。
【００３１】
【発明の効果】
以上のように、本発明に係るペーパレストを有する給紙装置によると、ペーパレストの片側面と他側面との両方を傾斜度合の異なる紙受け面として使用することができるようになるので、それらの各面を普通紙と特殊紙とに応じて使い分けることによって、いずれの用紙であっても引掛かりや用紙ジャムを生じない円滑な給紙が可能になる。しかも、本発明では、ペーパレストの片側面と他側面との使い分けを、簡単かつ迅速に行うことのできる着脱操作を通じて行うことが可能であるので、ユーザが使い分ける場合の操作の煩わしさがなくなる。また、使い分けを行えるようにしたために部品点数が増加するということにもならないので、安価に給紙装置を提供することができるようになるという利点もある。
【図面の簡単な説明】
【図１】プリンタに組み付けられた本発明の実施形態に係る給紙装置の概略斜視図である。
【図２】（Ａ）は第１取付状態で取り付けられたペーパレストの説明図、（Ｂ）は第２取付状態で取り付けられたペーパレストの説明図である。
【図３】（Ａ）は溝部の形状を示した側面図、（Ｂ）は突起の形状を示した側面図である。
【図４】（Ａ）は第１取付状態での取付箇所の説明図、（Ｂ）は第２取付状態での取付箇所の説明図である。
【図５】ペーパレストの他の構造を示した下面図である。
【図６】（Ａ）は図５のペーパレストの取付箇所の要部を一部破断して示した正面図、（Ｂ）は第１取付状態を選択した場合の（Ａ）のＶＩＢ−ＶＩＢ線断面図、（Ｃ）は第２取付状態を選択した場合の（Ａ）のＶＩＣ−ＶＩＣ線断面図である。
【符号の説明】
２  紙受け部
３  傾斜板部
４  ベース体
５  ペーパレスト
６  ピックアップローラ（ピックアップ手段）
７  溝部
８  突起
５１  片側面
５１ａ，５２ａ  紙受け面
５２  他側面
７１  係止面
Ｐ  用紙
【図１】
2004338917.tif 000003
【図２】
2004338917.tif 000004
【図３】
2004338917.tif 000005
【図４】
2004338917.tif 000006
【図５】
2004338917.tif 000007
【図６】
2004338917.tif 000008